(57)【特許請求の範囲】
【請求項１】
被梱包物を梱包する梱包部材において、
媒体を収納する媒体収納部と、
前記媒体収納部へ向かう媒体は通過させて、前記媒体収納部から逆流する媒体を規制する逆止弁と、
前記媒体収納部を膨らませるために、前記逆止弁を介して、前記媒体収納部へ媒体を前記梱包部材の外部から導入する導入部と、
前記逆止弁を介して前記媒体収納部から前記導入部へ逆流した媒体が、前記導入部から前記梱包部材の外部へ漏れ出るのを防止するために、前記導入部から前記逆止弁へ向かう導入方向において前記逆止弁の上流側に設けられた、前記導入部を封止するための封止領域であって、媒体を前記媒体収納部へ収納した後に封止される封止領域と、
を有することを特徴とする梱包部材。
【請求項２】
前記媒体収納部は細長い形状であって、前記媒体収納部の長手方向は、前記逆止弁における媒体の通過方向と略一致することを特徴とする請求項１に記載の梱包部材。
【請求項３】
前記導入部は、前記導入方向の上流側の端部に前記梱包部材の外部から媒体を導入する注入口を有し、前記注入口における媒体の導入方向は、前記逆止弁において媒体が前記媒体収納部へ向って通過する通過方向と略一致することを特徴とする請求項１または請求項２に記載の梱包部材。
【請求項４】
前記媒体収納部は、複数個並んで配置されており、
前記逆止弁は、前記複数個の媒体収納部に対してそれぞれ設けられ、
さらに、前記導入部も、前記複数個の媒体収納部にそれぞれ独立して設けられていることを特徴とする請求項１乃至請求項３のいずれかに記載の梱包部材。
【請求項５】
前記封止領域は、前記媒体収納部からそれぞれ逆流する媒体を、前記導入部において収納できる容積がそれぞれ略等しくなる位置に設けられていることを特徴とする請求項４に記載の梱包部材。
【請求項６】
前記複数個の導入部は、前記導入方向の上流側の端部に前記梱包部材の外部から媒体を導入する注入口をそれぞれ有し、
前記注入口の幅は、前記複数個の導入部の前記導入方向において下流側に設けられた、前記逆止弁との接続部の幅よりも狭く、及び、前記注入口はそれぞれ隣接して設けられたことを特徴とする請求項４または請求項５に記載の梱包部材。
【請求項７】
前記媒体収納部が、媒体を前記媒体収納部へ収納した後に前記被梱包物にかかる圧力を弱めるために、前記媒体収納部の長手方向と交差する幅方向において幅の狭い領域を、前記媒体収納部の長手方向の所定位置に設けたことを特徴とする請求項１乃至請求項６のいずれかに記載の梱包部材。
【請求項８】
更に、前記梱包部材は、前記被梱包物が収納された後に、前記被梱包物を取り出す際の前記被梱包物の取り出し開口を形成するための、及び、前記媒体収納部に収納された媒体を前記梱包部材の外部へ放出する放出開口を形成するための把持部を有することを特徴とする請求項１乃至請求項７のいずれかに記載の梱包部材。
【請求項９】
媒体を収納する媒体収納部と、前記媒体収納部へ向かう媒体は通過させて、前記媒体収納部から逆流する媒体を規制する逆止弁と、前記媒体収納部を膨らませるために、前記逆止弁を介して、前記媒体収納部へ媒体を前記梱包部材の外部から導入する導入部と、前記逆止弁を介して前記媒体収納部から前記導入部へ逆流した媒体が、前記導入部から前記梱包部材の外部へ漏れ出るのを防止するために、前記導入部から前記逆止弁へ向かう導入方向において前記逆止弁の上流側に設けられた、前記導入部を封止するための封止領域であって、媒体を前記媒体収納部へ収納した後に封止される封止領域と、を有する梱包部材を用いて被梱包物を梱包する梱包方法であって、
前記梱包部材に前記被梱包物を収納し、
その後に、前記導入部を通じて前記媒体収納部へ媒体を導入し、
その後に、前記封止領域を封止することを特徴とする梱包方法。
【請求項１０】
前記導入部は、前記導入方向の上流側の端部に前記梱包部材の外部から媒体を導入する注入口を有し、前記逆止弁において媒体が前記媒体収納部へ向って通過する通過方向と略一致する方向より、前記注入口から媒体を導入することを特徴とする請求項１０に記載の梱包方法。
【請求項１１】
前記媒体収納部は、複数個並んで配置されており、
前記逆止弁は、前記複数個の媒体収納部に対してそれぞれ設けられ、
さらに、前記導入部も前記複数個の媒体収納部にそれぞれ独立して設けられて、媒体は前記導入部、及び、前記逆止弁を介して前記媒体収納部に導入されることを特徴とする請求項９または請求項１０に記載の梱包方法。
【請求項１２】
前記複数の媒体収納部からそれぞれ逆流する媒体を、前記導入部において収納できる容積がそれぞれ略等しくなる位置を封止することを特徴とする請求項１１に記載の梱包方法。
【請求項１３】
前記複数個の導入部は、前記導入方向の上流側の端部に前記梱包部材の外部から媒体を導入する注入口をそれぞれ有し、
前記注入口の幅は、前記複数個の導入部の前記導入方向において下流側に設けられた、前記逆止弁との接続部の幅よりも狭く、及び、前記注入口はそれぞれ隣接して設けられており、
前記注入口から媒体を導入することを特徴とする請求項１１または請求項１２に記載の梱包方法。
【請求項１４】
被梱包物を梱包する梱包方法において、
媒体を収納する媒体収納部と、前記媒体収納部へ向かう媒体は通過させて、前記媒体収納部から逆流する媒体を規制する逆止弁と、前記媒体収納部を膨らませるために、前記逆止弁を介して、前記媒体収納部へ媒体を前記梱包部材の外部から導入する導入部と、前記逆止弁を介して前記媒体収納部から前記導入部へ逆流した媒体が、前記導入部から前記梱包部材の外部へ漏れ出るのを防止するために、前記導入部から前記逆止弁へ向かう導入方向において前記逆止弁の上流側に設けられた、前記導入部を封止するための封止領域であって、媒体を前記媒体収納部へ収納した後に封止される封止領域と、を有する梱包部材を準備する準備工程と、
前記梱包部材に前記被梱包物を収納する被梱包物収納工程と、
前記被梱包物収納工程の後に、前記媒体収納部へ前記導入部を通じて媒体を導入する媒体導入工程と、
前記媒体導入工程の後に、前記封止領域を封止する封止工程と、
を有することを特徴とする梱包方法。
【請求項１５】
更に、前記準備工程では、前記導入部は、前記導入方向の上流側の端部に前記梱包部材の外部から媒体を導入する注入口を有する梱包部材を準備し、
前記媒体導入工程は、前記逆止弁において媒体が前記媒体収納部へ向って通過する通過方向と略一致する方向で、前記注入口から媒体を導入することを特徴とする請求項１４に記載の梱包方法。
【請求項１６】
更に、前記準備工程では、前記媒体収納部は、複数個並んで配置されており、前記逆止弁は、前記複数個の媒体収納部に対してそれぞれ設けられ、さらに、前記導入部も、前記複数個の媒体収納部にそれぞれ独立して設けられた梱包部材を準備し、
前記媒体導入工程は、媒体を前記導入部、及び、前記逆止弁を介して前記媒体収納部に導入することを特徴とする請求項１４または請求項１５に記載の梱包方法。
【請求項１７】
更に、前記準備工程では、前記複数個の導入部は、前記導入方向の上流側の端部に前記梱包部材の外部から媒体を導入する注入口をそれぞれ有し、前記注入口の幅は、前記複数個の導入部の前記導入方向において下流側に設けられた、前記逆止弁との接続部の幅よりも狭く、及び、前記注入口はそれぞれ隣接して設けられた梱包部材を準備し、
前記媒体導入工程は、前記注入口から媒体を導入することを特徴とする請求項１５または請求項１６に記載の梱包方法。
【請求項１８】
被梱包物を梱包する梱包部材の製造方法において、
可撓性シートを重ねる重ね工程と、
前記重ね工程によって重なった前記可撓性シートを重ねた状態で、互いに平行に複数箇所シールする媒体収納部形成工程であって、媒体を収納するための媒体収納部を形成する媒体収納部形成工程と、
前記媒体収納部形成工程によってシールされた前記梱包部材の長手方向一端を封止するために、前記重ね工程によって重なった前記可撓性シートを重ねた状態でシールする前記媒体収納部封止工程と、
前記媒体収納部形成工程によってシールされた前記梱包部材の長手方向他端に、前記媒体収納部へ向かう媒体は通過させて、前記媒体収納部から逆流する媒体を規制する逆止弁を取付ける逆止弁取付け工程と、
前記媒体収納部へ媒体を導入する導入部を形成するために、前記長手方向一端に連なって、前記重ね工程によって重なった前記可撓性シートを重ねた状態でシールする導入部形成工程であって、前記逆止弁を介して前記媒体収納部から前記導入部へ逆流した媒体が、前記導入部から前記梱包部材の外部へ漏れ出るのを防止するために、前記導入部から前記逆止弁へ向かう導入方向において前記逆止弁の上流側に設けられた、前記導入部を封止するための封止領域であって、媒体を前記媒体収納部へ収納した後に封止される封止領域を有して、導入部を形成する導入部形成工程と、
を有することを特徴とする梱包部材の製造方法。
【請求項１９】
前記梱包部材は、前記長手方向を短手方向とし、前記短手方向と直交する方向を長手方向とする細長い形状であり、ロール形状に巻かれた状態であることを特徴とする請求項１８に記載の梱包部材の製造方法。
【請求項２０】
更に、前記製造方法は、
前記梱包部材は、前記ロール形状から巻かれた状態から、前記短手方向と平行に切断されて取り出される切断工程を有することを特徴とする請求項１９に記載の梱包部材の製造方法。
【請求項２１】
更に、前記製造方法は、
前記切断工程の後に、前記短手方向と直交する方向へ折り返す折り返し工程と、
前記折り返し工程の後に、短辺、又は、長辺を一箇所残してシールする袋形成工程と、
を有することを特徴とする請求項２０に記載の梱包部材の製造方法。
【請求項２２】
更に、前記製造方法は、
前記袋形成工程によって形成された袋に被梱包物を収納する被梱包物収納工程と、
前記被梱包物収納工程の後に、前記導入部から前記媒体収納部へ媒体を導入する媒体導入工程と、
前記媒体導入工程の後に、前記封止領域を封止する封止工程と、
を有することを特徴とする請求項２１に記載の梱包部材の製造方法。
【発明の詳細な説明】
【０００１】
【発明の属する技術分野】
本発明は、被梱包物を梱包する梱包部材、前記梱包部材を用いて被梱包物を梱包する梱包方法、及び、被梱包物を梱包する梱包部材を製造する製造方法に関する。
【０００２】
【従来の技術】
従来、この種の梱包部材としては、下記の公報に記載されているように、媒体を収納する媒体収納部と、前記媒体収納部へ向かう媒体は通過させて、前記媒体収納部から逆流する媒体を規制する逆止弁と、逆止弁を介して、媒体収納部へ媒体を梱包部材の外部から導入する導入部とを有し、前記導入部、及び、前記逆止弁を介して媒体を媒体収納部に導入する梱包部材が知られている（例えば、特許文献１のＦＩＧ．２、特許文献２の図１参照）。
【０００３】
【特許文献１】
米国特許第５４２７８３０号公報
【特許文献２】
実開平１−１６４１４２号公報
【０００４】
【発明が解決しようとする課題】
しかし、前述の従来の技術においては、梱包部材が高温高湿、または、低圧環境下に長時間さらされると、媒体収納部に収納された媒体の体積が大きくなり、媒体収納部内の内圧が上がるおそれがある。内圧が上がると、媒体収納部に収納された媒体が逆止弁を逆流して、媒体収納部に収納された媒体が徐々に少なくなり、緩衝効果が低下するおそれがある。本発明は、上記の問題を解決することを課題に鑑みてなされたものである。
【０００５】
本発明の目的は、被梱包物を確実に梱包することのできる梱包部材、梱包方法、及び、前記梱包部材の製造方法を提供することにある。
【０００６】
本発明の他の目的は、被梱包物を外部からの衝撃から守ることのできる梱包部材、梱包方法、及び、前記梱包部材の製造方法を提供することにある。
【０００７】
本発明の他の目的は、梱包部材が収納している媒体が、環境変化によって逆支弁を逆流したとしても、梱包部材の外部に媒体が漏れ出ることのない梱包部材、梱包方法、及び、前記梱包部材の製造方法を提供することにある。
【０００８】
本発明の他の目的は、梱包部材に媒体を収納する収納効率を向上させることのできる梱包部材、梱包方法、及び、前記梱包部材の製造方法を提供することにある。
【０００９】
本発明の他の目的は、媒体を収納せずに運搬することができるので、運搬効率の良い梱包部材、梱包方法、及び、前記梱包部材の製造方法を提供することにある。
【００１０】
本発明の他の目的は、被梱包物を梱包する梱包部材において、媒体を収納する媒体収納部と、前記媒体収納部へ向かう媒体は通過させて、前記媒体収納部から逆流する媒体を規制する逆止弁と、前記媒体収納部を膨らませるために、前記逆止弁を介して、前記媒体収納部へ媒体を前記梱包部材の外部から導入する導入部と、前記逆止弁を介して前記媒体収納部から前記導入部へ逆流した媒体が、前記導入部から前記梱包部材の外部へ漏れ出るのを防止するために、前記導入部から前記逆止弁へ向かう導入方向において前記逆止弁の上流側に設けられた、前記導入部を封止するための封止領域であって、媒体を前記媒体収納部へ収納した後に封止される封止領域と、を有することを特徴とする梱包部材を提供することにある。
【００１１】
本発明の他の目的は、媒体を収納する媒体収納部と、前記媒体収納部へ向かう媒体は通過させて、前記媒体収納部から逆流する媒体を規制する逆止弁と、前記媒体収納部を膨らませるために、前記逆止弁を介して、前記媒体収納部へ媒体を前記梱包部材の外部から導入する導入部と、前記逆止弁を介して前記媒体収納部から前記導入部へ逆流した媒体が、前記導入部から前記梱包部材の外部へ漏れ出るのを防止するために、前記導入部から前記逆止弁へ向かう導入方向において前記逆止弁の上流側に設けられた、前記導入部を封止するための封止領域であって、媒体を前記媒体収納部へ収納した後に封止される封止領域と、を有する梱包部材を用いて被梱包物を梱包する梱包方法であって、前記梱包部材に前記被梱包物を収納し、その後に、前記導入部を通じて前記媒体収納部へ媒体を導入し、その後に、前記封止領域を封止することを特徴とする梱包方法を提供することにある。
【００１２】
本発明の他の目的は、被梱包物を梱包する梱包部材の製造方法において、可撓性シートを重ねる重ね工程と、前記重ね工程によって重なった前記可撓性シートを重ねた状態で、互いに平行に複数箇所シールする媒体収納部形成工程であって、媒体を収納するための媒体収納部を形成する媒体収納部形成工程と、前記媒体収納部形成工程によってシールされた前記梱包部材の長手方向一端を封止するために、前記重ね工程によって重なった前記可撓性シートを重ねた状態でシールする前記媒体収納部封止工程と、前記媒体収納部形成工程によってシールされた前記梱包部材の長手方向他端に、前記媒体収納部へ向かう媒体は通過させて、前記媒体収納部から逆流する媒体を規制する逆止弁を取付ける逆止弁取付け工程と、前記媒体収納部へ媒体を導入する導入部を形成するために、前記長手方向一端に連なって、前記重ね工程によって重なった前記可撓性シートを重ねた状態でシールする導入部形成工程であって、前記逆止弁を介して前記媒体収納部から前記導入部へ逆流した媒体が、前記導入部から前記梱包部材の外部へ漏れ出るのを防止するために、前記導入部から前記逆止弁へ向かう導入方向において前記逆止弁の上流側に設けられた、前記導入部を封止するための封止領域であって、媒体を前記媒体収納部へ収納した後に封止される封止領域を有して、導入部を形成する導入部形成工程と、を有することを特徴とする梱包部材の製造方法を提供することにある。
【００１３】
【課題を解決するための手段】
上記目的を達成するための本発明の代表的な構成は、被梱包物を梱包する梱包部材において、媒体を収納する媒体収納部と、前記媒体収納部へ向かう媒体は通過させて、前記媒体収納部から逆流する媒体を規制する逆止弁と、前記媒体収納部を膨らませるために、前記逆止弁を介して、前記媒体収納部へ媒体を前記梱包部材の外部から導入する導入部と、前記逆止弁を介して前記媒体収納部から前記導入部へ逆流した媒体が、前記導入部から前記梱包部材の外部へ漏れ出るのを防止するために、前記導入部から前記逆止弁へ向かう導入方向において前記逆止弁の上流側に設けられた、前記導入部を封止するための封止領域であって、媒体を前記媒体収納部へ収納した後に封止される封止領域と、を有することを特徴とする梱包部材である。
【００１４】
また、上記目的を達成するための本発明の代表的な梱包方法は、媒体を収納する媒体収納部と、前記媒体収納部へ向かう媒体は通過させて、前記媒体収納部から逆流する媒体を規制する逆止弁と、前記媒体収納部を膨らませるために、前記逆止弁を介して、前記媒体収納部へ媒体を前記梱包部材の外部から導入する導入部と、前記逆止弁を介して前記媒体収納部から前記導入部へ逆流した媒体が、前記導入部から前記梱包部材の外部へ漏れ出るのを防止するために、前記導入部から前記逆止弁へ向かう導入方向において前記逆止弁の上流側に設けられた、前記導入部を封止するための封止領域であって、媒体を前記媒体収納部へ収納した後に封止される封止領域と、を有する梱包部材を用いて被梱包物を梱包する梱包方法であって、前記梱包部材に前記被梱包物を収納し、その後に、前記導入部を通じて前記媒体収納部へ媒体を導入し、その後に、前記封止領域を封止することを特徴とする梱包方法である。
【００１５】
さらに、上記目的を達成するための本発明の代表的な梱包部材の製造方法は、被梱包物を梱包する梱包部材の製造方法において、可撓性シートを重ねる重ね工程と、前記重ね工程によって重なった前記可撓性シートを重ねた状態で、互いに平行に複数箇所シールする媒体収納部形成工程であって、媒体を収納するための媒体収納部を形成する媒体収納部形成工程と、前記媒体収納部形成工程によってシールされた前記梱包部材の長手方向一端を封止するために、前記重ね工程によって重なった前記可撓性シートを重ねた状態でシールする前記媒体収納部封止工程と、前記媒体収納部形成工程によってシールされた前記梱包部材の長手方向他端に、前記媒体収納部へ向かう媒体は通過させて、前記媒体収納部から逆流する媒体を規制する逆止弁を取付ける逆止弁取付け工程と、前記媒体収納部へ媒体を導入する導入部を形成するために、前記長手方向一端に連なって、前記重ね工程によって重なった前記可撓性シートを重ねた状態でシールする導入部形成工程であって、前記逆止弁を介して前記媒体収納部から前記導入部へ逆流した媒体が、前記導入部から前記梱包部材の外部へ漏れ出るのを防止するために、前記導入部から前記逆止弁へ向かう導入方向において前記逆止弁の上流側に設けられた、前記導入部を封止するための封止領域であって、媒体を前記媒体収納部へ収納した後に封止される封止領域を有して、導入部を形成する導入部形成工程と、を有することを特徴とする梱包部材の製造方法である。
【００１６】
【発明の実施の形態】
本発明の実施の形態を図面に基づいて説明する。
【００１７】
〔第１の実施の形態〕
（梱包部材の構成）
以下に、本発明の第１の実施の形態を添付図面に基づいて説明する。
【００１８】
本発明に係わる梱包部材Ｓ１のシートは、図１及び図２に示すように、可撓性部材である２枚のプラスチックフィルム１とプラスチックフィルム２を重ね合わせて熱溶着することによって構成されている。熱溶着された領域が溶着部６、８、９、１０である。そして、梱包部材Ｓ１は媒体である空気を収納することができる媒体収納部３が複数個並んで設けられている。媒体収納部３は、フィルム１とフィルム２とを溶着部１０で熱溶着して仕切ることによって構成されている。また、媒体収納部３は、図１に示すように一辺が長い形状である。なお、本実施の形態のフィルム１とフィルム２は３層構造の可撓性部材である。すなわちナイロンの層をポリエチレンの層とポリプロピレンの層によって挟み込んだサンドイッチ構造となっている。主に、ナイロンの層は媒体の透過しにくい特性を有し、ポリエチレンの層及びポリプロピレンの層は、熱溶着に対して溶着性が良い特性を有する。
【００１９】
そして、前記媒体収納部３の長手方向の一端側には逆止弁４が設けられている。この逆止弁４は、前記媒体収納部３に空気を導入する方向に空気を通過させる。そして、空気が媒体収納部に導入された後は図２に示すように、媒体収納部３の内部の空気の圧力を利用して、導入された空気の逆流を防止するものである。逆止弁４の詳細の構成は、図２９、図３０に示すとおりである。逆止弁４は以下の手順によって製作される。フィルム１には上逆止弁４ａが１ａ部で仮止されており、フィルム２には下逆止弁４ｂと、シール部材４ｃが２ａ部で仮止されている。そして、図１に示すように、フィルム１とフィルム２は溶着部６、８、９、１０において熱溶着されている。シール部材４ｃは溶着部８が熱溶着される温度でも溶けない材質が用いられている。溶着部９、１０は、媒体収納部３の長手方向に沿って略平行に設けられている。また、溶着部６、８は、媒体収納部３の長手方向と交差する方向に延びて設けられており、溶着部６は、前記長手方向の他端側に位置する。
【００２０】
そして、図３０に示すように溶着部８において、８ｂ部，８ｃ部は熱溶着されるが、シール部材４ｃの位置に相当する８ａ部は溶着されない。よって、空気が導入された際は、矢印に示すように空気を導入することができる。また、媒体収納部３の長手方向と、逆止弁４における空気の通過方向とは略一致しており、空気が効率よく媒体収納部３へ導入される。
【００２１】
さらに、媒体収納部３の長手方向一端側には、媒体収納部３を膨らませるために、逆止弁４を介して複数の媒体収納部３へ媒体を梱包部材Ｓ１の外部からそれぞれ導入するための導入部５が設けられている。さらに、導入部５の一端側には、空気を注入するための注入口１１が導入部５に対してそれぞれ設けられている。導入部５もフィルム１とフィルム２を熱溶着することによって構成される。熱溶着された領域が溶着部７である。ここで、図６に示すように注入口１１の幅Ｗ１は、複数個の導入部５の前記導入方向において下流側に設けられた、逆止弁４との接続部の幅Ｗ２よりも狭い。さらに複数の注入口１１は、それぞれに隣接して設けられている。よって、注入口１１から一度に空気を導入するための注入装置の注入部（図不示）を小さくすることができる。そして、逆止弁４において媒体が媒体収納部３へ向って通過する通過方向と略一致する方向より、注入口１１から媒体を導入することができ、空気が効率よく媒体収納部３へ導入される構成になっている。また、前述の構成のため、溶着部７は媒体収納部３の長手方向に沿って、逆止弁４との接続部から注入口１１へ向かって傾斜した形状になっている。
【００２２】
また、領域４８は、逆止弁４を介して媒体収納部３から導入部５へ逆流した空気が、導入部５から梱包部材Ｓ１の外部へ漏れ出るのを防止するために、導入部５から逆止弁４へ向かう導入方向において逆止弁４の上流側に設けられた、導入部５を封止するための封止領域である。この領域４８は、空気を媒体収納部３へ収納した後に、専用の熱溶着装置（図不示）によって熱が加えられて封止される。
【００２３】
さらに、前記媒体収納部の長手方向と交差する幅方向において幅の狭い領域３ｂを、前記媒体収納部３の長手方向の所定位置に設けた。この狭い領域３ｂは、媒体を媒体収納部３へ収納した後に被梱包物にかかる圧力を弱めるために設けられている。すなわち、狭い領域３ｂは、被梱包物から突出した突起に相当する位置、または、被梱包物を変形させて被梱包物を傷つけるおそれがある位置等に設けられる。狭い領域３ｂの幅Ｗ４は、図６に示すように、狭い領域３ｂ以外の領域３ａの幅Ｗ３よりも狭い。すなわち、狭い領域３ｂの断面積は、狭い領域３ｂ以外の領域３ａの断面積より小さいことになる。また、狭い領域３ｂは図６に示すように溶着部１０よりも溶着部２３の幅を大きくして熱溶着することによって形成することができる。溶着部２３も専用の熱溶着装置（図不示）によって熱が加えられて形成される。
【００２４】
以上、梱包部材の構成をまとめると以下の通りである。
【００２５】
被梱包物を梱包する梱包部材Ｓ、Ｓ１において、媒体を収納する媒体収納部３と、媒体収納部３へ向かう媒体は通過させて、媒体収納部３から逆流する媒体を規制する逆止弁４と、媒体収納部３を膨らませるために、逆止弁４を介して、媒体収納部３へ媒体を梱包部材１の外部から導入する導入部５と、逆止弁４を介して媒体収納部３から導入部５へ逆流した媒体が、導入部５から梱包部材Ｓ１の外部へ漏れ出るのを防止するために、導入部５から逆止弁４へ向かう導入方向において逆止弁４の上流側に設けられた、導入部５を封止するための封止領域４８であって、媒体を媒体収納部３へ収納した後に封止される封止領域４８と、を有することを特徴とする梱包部材Ｓ，Ｓ１である。
【００２６】
また、媒体収納部３は細長い形状であって、媒体収納部３の長手方向は、逆止弁４における媒体の通過方向と略一致する。
【００２７】
また、導入部５は、導入方向の上流側の端部に梱包部材Ｓ、Ｓ１の外部から媒体を導入する注入口１１を有し、注入口１１における媒体の導入方向は、逆止弁４において媒体が媒体収納部３へ向って通過する通過方向と略一致する。
【００２８】
また、媒体収納部３は、複数個並んで配置されており、逆止弁４は、複数個の媒体収納部３に対してそれぞれ設けられ、さらに、導入部５も、前記複数個の媒体収納部３にそれぞれ独立して設けられている。
【００２９】
また、封止領域４８は、媒体収納部３からそれぞれ逆流する媒体を、導入部５において収納できる容積がそれぞれ略等しくなる位置に設けられている。
【００３０】
また、複数個の導入部５は、媒体の導入方向の上流側の端部に梱包部材の外部から媒体を導入する注入口１１をそれぞれ有する。そして、注入口の幅Ｗ１は、複数個の導入部５の前記導入方向において下流側に設けられた、逆止弁４との接続部の幅Ｗ２よりも狭い。注入口１１の幅Ｗ１が接続部の幅Ｗ２よりも狭く、さらに、注入口１１はそれぞれ隣接して設けらたことによって、注入口１１から空気を導入するための注入装置（図不示）を小型化することができる効果がある。ここで、注入口１１の幅Ｗ１は１０〜１５ｍｍであり、接続部の幅Ｗ２は２５〜３０ｍｍである。
【００３１】
また、媒体を媒体収納部３へ収納した後に被梱包物にかかる圧力を弱めるために、媒体収納部３の長手方向と交差する幅方向において幅の狭い領域３ｂを、媒体収納部３の長手方向の所定位置に設けた。
【００３２】
一般的に前述の複数の媒体収納部３と、逆止弁４、導入部５を有する梱包部材Ｓ１は、まず長いロール状シートＳから切り取られる。そして、被梱包物に合わせて前記のシートを切断、加工することで、被梱包物の目的にあった梱包をする。以下にその梱包方法を示す。
【００３３】
（梱包部材を用いた梱包方法）
以下に、電子写真画像形成装置本体に着脱可能なプロセスカートリッジを被梱包物として、梱包部材Ｓを用いた梱包方法を図３から図９に示す。ここで電子写真画像形成装置とは、電子写真画像形成方式を用いて記録媒体に画像を形成するものである。そして電子写真画像形成装置の例としては、電子写真複写機、電子写真プリンタ（例えばレーザービームプリンタ、ＬＥＤプリンタ等）、ファクシミリ装置及びワードプロセッサ等が含まれる。また、プロセスカートリッジとは、プロセス手段としての帯電手段、現像手段、クリーニング手段の少なくとも１つと電子写真感光体とを一体的にカートリッジ化して画像形成装置本体に着脱可能とするものである。
【００３４】
（１）梱包部材のシートからの切り取り（図３）
前述の複数の媒体収納部３と、逆止弁４、導入部５を有する梱包部材の長いロール状シートＳから、プロセスカートリッジ３５を梱包するのに必要な所定幅の梱包部材Ｓ１が切り取られる。本実施の形態ではハサミＫ１を用いて梱包部材Ｓ１を切り取っているが、カッターや専用の切り取り装置を用いて梱包部材Ｓ１を切り取っても構わない。また、ロール状シートＳの中心には芯金Ｋ２が設けられているので、ロール状シートＳからシートを引き出しやすく、さらに梱包部材Ｓ１を切り取りやすい。また、自動機等によって梱包部材Ｓ１を切り取る際も、ロール状シートＳを所定位置にセットすることも容易になる。
【００３５】
（２）梱包部材を袋状に加工（図４〜図６）
切り取られた梱包部材Ｓ１の媒体収納部３の長手方向において、略中央付近から２つ折りにする。２つ折にする場合は、媒体収納部３の長手方向の後端部５３が図５に示す位置にくるように重ねる。
【００３６】
そして、媒体収納部３の長手方向と交差する方向の両端部（溶着部１２、及び溶着部１３）を熱溶着（ヒートシール）することで、梱包部材Ｓ１を長手方向の一端が開口した袋形状にすることができる。また、溶着部１２、及び溶着部１３は、媒体収納部３の長手方向に沿って延びて設けられている。
【００３７】
更に、後で詳しく述べるが、梱包部材Ｓ１には、切り込み１５が設けられている。この切り込み１５は、被梱包物が梱包部材Ｓ１に収納された後に、被梱包物を取り出す際の前記被梱包物の取り出し開口を形成するためのきっかけとなる部分である。また、切り込み１５は同時に媒体収納部３に収納された媒体を梱包部材Ｓ１の外部へ放出する放出開口を形成するための部分である。
【００３８】
本実施の形態では、梱包部材Ｓ１は長手方向の一端が開口を有する袋形状としたが、梱包部材を長手方向と交差する方向の一端、または、長手方向と交差する方向の両端が開口した袋形状としてもよい。さらに、梱包部材を長手方向の一端と、長手方向と交差する方向の一端が開口した袋形状をしていてもよい。
【００３９】
（３）梱包部材Ｓ１に被梱包物（カートリッジ３５）を挿入（図５）
図５に示すように、長手方向の一端に設けられた開口１８から被梱包物であるカートリッジ３５を挿入する。すなわち、カートリッジ３５は、カートリッジ３５の長手方向と媒体収納部３の長手方向とが一致するように挿入される。そして、その後、前記の開口１８を塞ぐために図５に示すように、溶着部１９を熱溶着（ヒートシール）して、カートリッジ３５を完全密封する。溶着部１９は、媒体収納部３の長手方向と交差する方向に延びて設けられている。すなわち溶着部１９は、カートリッジ３５の短手方向側を封止することになる。さらに溶着部１９は、溶着部８及び逆支弁４よりも注入口１１に近い位置に設けられている。しかし図３０に示すように、溶着部１９の１９ａ部は、シール部材４ｃが延びてきているので、熱溶着はされない。よって、カートリッジ３５が密封された梱包部材Ｓ１の媒体収納部３には、逆止弁４を介して、矢印のように空気を導入することが可能である。
【００４０】
（４）媒体の注入（図５、図９）
その後、媒体導入部５の注入口１１から媒体である空気の注入をおこなう。そして逆止弁４を介して夫々の媒体収納部３に空気を導入する。カートリッジ３５を入れてから空気を導入するのは、カートリッジ３５を挿入する際のフィルム１、または、フィルム２との間で発生する静電気の発生を防ぐためである。すなわち、空気が導入された梱包部材に被梱包物（カートリッジ３５）を入れた場合には、静電気によって、被梱包物（カートリッジ３５）へ悪影響が及ぶからである。また、カートリッジ３５を入れてから空気を導入する方が、カートリッジ３５を挿入する作業性が良いからである。図９に示すように、カートリッジ３５を挿入した後、空気が導入されることによって、媒体導入部５に張力が作用して、扁平な形状になろうとする。よって、媒体導入部５に存在する空気は矢印のように押し出され、注入口１１から排出することになる。尚、本実施の形態で媒体として空気を導入したが、媒体としては空気に限定されずに、窒素ガス、酸素ガス等であっても良い。特に窒素ガスは、分子量が大きくので、プラスチックフィルム等からなる媒体収納部から漏れにくい。その他の媒体として、液体、流動体であっても差し支えない。
【００４１】
（５）媒体導入部の封止（ヒートシール）
次に、図１０に示すように長手方向において溶着部８より注入口１１が設けられた側の領域４８（封止領域）、すなわち、媒体導入部５が設けられている領域を、熱溶着（ヒートシール）する。熱溶着された領域が溶着部５０である。そして、この溶着部５０の位置は、熱溶着後の導入部５の容量が、梱包部材Ｓ３の媒体収納部３の全体の容量の５％〜１０％になる位置である。溶着部５０は、媒体収納部３の長手方向と交差する方向に沿って延びて熱溶着（ヒートシール）される。これは、後ほど詳しく述べるが、梱包部材Ｓ１が高温高湿、または、低圧の環境下に長期にさらされた際の媒体収納部３が膨張することによって、媒体収納部３の導入された空気が梱包部材Ｓ１の外に漏れ出るのを防ぐためである。すなわち、領域４８を熱溶着することによって、所定量の空気が逆止弁４を逆流しても空気がストックされる領域を確保している。更に本実施例では、溶着部５０より注入口１１側の領域を溶着部５１で熱溶着する。これは、溶着部５０で更に漏れた空気を梱包部材の外に漏れ出るのを防ぐためである。溶着部５１も前記交差する方向に沿って延びて熱溶着（ヒートシール）される。
【００４２】
また、カートリッジ３５を挿入した梱包部材Ｓ１は、図８に示すように、角部（Ｃ１，Ｃ２，Ｃ３，Ｃ４）がＣ１とＣ２との間、Ｃ３とＣ４との間より出っ張った状態になる。よって、梱包部材Ｓ３が角部から落下などした場合も、衝撃を弱める緩衝性能が向上する。
【００４３】
本実施の形態では、前述した袋状にした梱包部材Ｓ１にカートリッジ３５を挿入したが、カートリッジ３５を直接覆って（カバーして）から、梱包部材の端部を熱溶着して、収容物を密封してもかまわない。
【００４４】
（６）梱包箱への梱包
カートリッジ３５を完全密封した梱包部材Ｓ１は、梱包箱３８に挿入される（図２４、図２５）。その後、タグ３８ａ、３８ｂが内側に折り曲げられる。そして次いでタグ３８ｃが内側に折り曲げられ、更にその後タグ３８ｄが折り曲げられ、タグ３８ｄはタグ３８ｃに接着される。その際にタグ３８ｃの３８ｃ１、３８ｃ２がタグ３８ｄの切り込み部３８ｄ１、３８ｄ２に挿入される。本実施の形態では、図２４から図３４に示すように、被梱包物がカートリッジ３５の場合は、長手方向の側面部よりカートリッジ３５を挿入できる形態になっている。従来は、図２７、図３６に示すように長手方向の上面よりカートリッジ３５を挿入する形態であった。なぜならば、図３９、図４０に示すようにカートリッジ３５は梱包袋４２に挿入され、サイドパッド３９、４０が両側よりはめ込こまれた後、梱包箱４３に入れて固定されることになるためである。
【００４５】
前述の様に長手方向の側面より被梱包物（カートリッジ３５）を挿入する構成にすることによって、次のような利点がある。
▲１▼従来の梱包箱４３のように長手方向の上面に開口４３ｅが無く、長手方向の側面に開口３８ｅを設けるようにしたので、梱包箱全体の強度を増すことができた。
▲２▼図３１、図４０に示すように、従来の梱包箱４３より少ない材料面積で梱包箱を構成することができる。なぜならば、図４０に示すように、従来のタブ４３ｂからタブ４３ｄの大きさに比較して、本実施の形態でのタブ３８ａからタブ３８ｄの大きさを小さくすることができたからである。従来は、図３１に示すように、従来の梱包箱４３を展開した形状である段ボールシートＢ１は、段ボールシートＢ２から３個しか作ることができなかった。しかし、本実施の形態では図３２に示すように、梱包箱３８を展開した形状である段ボールシートＢ３は、段ボールシートＢ２から４個の梱包箱を作ることができる。よって、梱包箱、製品単価のコストダウンに効果がある。
▲３▼また、図３３、図３４に示すように、運搬用のパレットＢ４に載せることのできる梱包箱の個数も、従来は梱包箱４３が１８０個（図３３）であるのに対して、本実施の形態は梱包箱３８が２０３個（図３４）載せることのできる。第一の理由は本実施の形態では従来の梱包箱より小さく構成することができたこととである。そして、第二の理由は、▲１▼で述べたように梱包箱全体の強度を増すことができたためである。
▲４▼また、梱包箱３８を製作する際の機械は、従来の梱包箱４３を製作する際の機械より小さくすることができる。少ない材料から梱包箱３８はつくることができるなどの理由からである。
▲５▼ユーザーが被梱包物（カートリッジ３５）を取り出しやすい。ジッパ部３８ｆも梱包箱４３のジッパ部４３ｆより小さく、サイドパットもないからである。
【００４６】
以下、梱包部材を用いて被梱包物を梱包する梱包方法をまとめると下記の通りである。
【００４７】
媒体を収納する媒体収納部１と、媒体収納部３へ向かう媒体は通過させて、媒体収納部３から逆流する媒体を規制する逆止弁４と、媒体収納部３を膨らませるために、逆止弁４を介して、媒体収納部３へ媒体を梱包部材Ｓ１の外部から導入する導入部５と、逆止弁４を介して媒体収納部３から導入部５へ逆流した媒体が、導入部５から梱包部材Ｓ１の外部へ漏れ出るのを防止するために、導入部５から逆止弁４へ向かう導入方向において逆止弁４の上流側に設けられた、導入部５を封止するための封止領域４８であって、媒体を媒体収納部３へ収納した後に封止される封止領域４８と、を有する梱包部材Ｓ１を用いて被梱包物を梱包する梱包方法であって、梱包部材Ｓ１に被梱包物を収納し、その後に、導入部５を通じて媒体収納部３へ媒体を導入し、その後に、封止領域４８を封止することを特徴とする梱包方法である。
【００４８】
また、導入部５は、導入方向の上流側の端部に梱包部材Ｓ１の外部から媒体を導入する注入口１１を有している。そして、逆止弁４において媒体が媒体収納部３へ向って通過する通過方向と略一致する方向より、注入口１１から媒体を導入することを特徴とする梱包方法である。
【００４９】
また、媒体収納部３は、複数個並んで配置されており、逆止弁４は、複数個の媒体収納部３に対してそれぞれ設けられ、さらに、導入部５も前記複数個の媒体収納部３にそれぞれ独立して設けられている。そして、媒体は導入部５、及び、逆止弁４を介して媒体収納部３に導入されることを特徴とする梱包方法である。
【００５０】
また、複数個の導入部５は、前記導入方向の上流側の端部に梱包部材Ｓ１の外部から媒体を導入する注入口１１をそれぞれ有し、注入口１１の幅Ｗ１は、複数個の導入部５の前記導入方向において下流側に設けられた、逆止弁４との接続部の幅Ｗ２よりも狭く、及び、注入口１１はそれぞれ隣接して設けられている。そして、その注入口１１から媒体を導入することを特徴とする梱包方法である。
【００５１】
なお、前述の梱包方法は、手作業に適した梱包方法であるといえる。
【００５２】
また、被梱包物を梱包する梱包方法において、媒体を収納する媒体収納部３と、媒体収納部３へ向かう媒体は通過させて、媒体収納部３から逆流する媒体を規制する逆止弁４と、媒体収納部３を膨らませるために、逆止弁４を介して、媒体収納部３へ媒体を梱包部材Ｓ１の外部から導入する導入部５と、逆止弁４を介して媒体収納部３から導入部５へ逆流した媒体が、導入部５から梱包部材Ｓ１の外部へ漏れ出るのを防止するために、導入部５から逆止弁４へ向かう導入方向において逆止弁４の上流側に設けられた、導入部５を封止するための封止領域４８であって、媒体を媒体収納部３へ収納した後に封止される封止領域４８と、を有する梱包部材Ｓ１を準備する準備工程と、梱包部材Ｓ１に被梱包物を収納する被梱包物収納工程と、被梱包物収納工程の後に、媒体収納部３へ導入部５を通じて媒体を導入する媒体導入工程と、媒体導入工程の後に、封止領域４８を封止する封止工程と、を有することを特徴とする梱包方法である。
【００５３】
また、前記準備工程では、前記導入部５は、前記導入方向の上流側の端部に梱包部材Ｓ１の外部から媒体を導入する注入口１１を有する梱包部材を準備し、媒体導入工程は、逆止弁４において媒体が媒体収納部３へ向って通過する通過方向と略一致する方向で、注入口１１から媒体を導入することを特徴とする梱包方法である。
【００５４】
また、前記準備工程では、媒体収納部３は、複数個並んで配置されており、前記逆止弁４は、前記複数個の媒体収納部３に対してそれぞれ設けられ、さらに、導入部５も、前記複数個の媒体収納部にそれぞれ独立して設けられた梱包部材を準備し、媒体導入工程は、媒体を導入部５、及び、逆止弁４を介して媒体収納部３に導入することを特徴とする梱包方法である。
【００５５】
また、前記準備工程では、前記複数個の導入部５は、前記導入方向の上流側の端部に前記梱包部材Ｓ１の外部から媒体を導入する注入口１１をそれぞれ有し、前記注入口１１の幅Ｗ１は、前記複数個の導入部５の前記導入方向において下流側に設けられた、前記逆止弁４との接続部の幅Ｗ２よりも狭く、更に注入口１１はそれぞれ隣接して設けられた梱包部材を準備し、媒体導入工程は、注入口１１から媒体を導入することを特徴とする梱包方法である。
【００５６】
なお、前述の梱包方法は、機械作業たとえば自動機による梱包方法に適しているといえる。
【００５７】
（媒体導入部５）
前述したように、梱包部材Ｓ１が高温高湿、または、低圧の環境下に長期にさらされた際、媒体収納部３内の内圧の上昇によって、逆止弁４から空気が逆流する。その場合、従来例では媒体導入部５が密封されていないので、図１２に示すように媒体収納部３内空気は徐々に抜けてしまう。よって、被梱包物を確実に梱包して、被梱包物を衝撃から確実に守ることができないおそれがあった。
【００５８】
よって、本実施の形態では、前述したように図１０、図１１、図１３に示すように、媒体収納部３内の内圧の上昇によって、逆止弁４から逆流した空気がストックされる領域（バッファ領域）として媒体導入部５を利用した。すなわち、媒体導入部５を、空気を媒体収納部５へ収納した後に溶着部５０、５１において封止することで、逆止弁４を介して媒体収納部３から導入部５へ逆流した空気が、導入部５から梱包部材Ｓ１の外部へ漏れ出るのを防止することができる。よって、梱包部材Ｓ１の保管の環境変化等によって空気が逆支弁４を逆流したとしても、梱包部材の外部に媒体が漏れ出ることがない。具体的には、従来は過酷試験環境下（温度４０℃、湿度９５％）にバッファ領域がない梱包部材を放置した場合、当初媒体収納部の内圧が５０Kｐａあったものが、２４時間経過後媒体収納部の内圧は０Kｐａになってしまう。しかし、本実施の形態の梱包部材Ｓ１では、過酷試験環境下（温度４０℃、湿度９５％）に６０日放置しても、当初媒体収納部３内の内圧が５０Kｐａあったものが２０Kｐａまで下がる程度に抑えることができる。ちなみに常温環境下（温度２３℃、湿度６０％）に放置した場合、シュミレーションでは媒体収納部３内の内圧が５０Kｐａから１０Kｐａまで低下するのに４．５８年かかる計算になる。よって、被梱包物を確実に梱包して、被梱包物を衝撃から確実に守ることができるようになった。
【００５９】
また、媒体導入部５の媒体収納部３の長手方向と交差する方向において、一端側の端部には、切り込み１５が設けられている（図６）。切り込み１５の周辺は、切り込みから梱包部材を引き裂く際に、作業者が持ちやすいように滑り止め部（把持部）１６を設けている。滑り止め部１６は、媒体収納部３の長手方向の後端部と、媒体導入部５とを熱溶着（ヒートシール）にて密着させている部分である。また、切り込み１５は媒体収納部３の長手方向と交差する方向の一端部の溶着部１２より外側にある。そして、前記切り込み１５から梱包部材を引き裂くことによって、図１５、図１６に示すように媒体収納部３が破れる。そして、カートリッジ３５を取り出すための開口２１を形成すると同時に、媒体収納部３に導入された空気を抜くことができる。媒体収納部３に導入された空気を抜くことによって、使用済の梱包部材の体積を小さくすることが可能になる。また、カートリッジ３５も梱包部材Ｓ１から取り出しやすくなる。前記開口２１が、媒体収納部３の長手方向と交差する方向に沿って引き裂かれるように、引き裂き形状をガイドすることのできるガイド部２２、４９が図１４ａに示すように設けられている。ちなみに、図１４ａは、カートリッジを収納した梱包部材Ｓ１をその反対からみた平面図である。前記ガイド部２２は溶着部１９から内側（逆止弁４側）に７ｍｍの距離で、２０ｍｍ幅で所定の間隔を置いて形成されている。また、前記ガイド部２２の内側にも、２０ｍｍ幅で所定の間隔を置いてガイド部４９が設けられている。前記ガイド部２２、４９も熱溶着することによって形成される。前記溶着部２２、４９がないと媒体収納部３の長手方向と交差する方向に沿って引き裂きにくい。すなわち、被梱包物（カートリッジ３５）を取り出せなくなり、また、図１４ｃに示すように溶着部１９に沿って引き裂かれ、媒体収納部３に導入された空気を抜きにくい。ガイド部２２は、図１４ａに示すように、媒体収納部３の間の溶着部１０をまたぐように、交差して設けられている。これは、前記切り込み１５から媒体収納部３を引き裂く際に、溶着部１０は抵抗となって、媒体導入部５と平行に引き裂くことができなくなることを防止するためである。また、ガイド部２２、４９の間には、熱溶着されていない部分（非溶着部）３４、３５がある。これは、図１４ｂに示すように引き裂く開口が、溶着部１９とガイド部２２との間になっても、媒体収納部３内の空気を抜くことができるようにしたものである。このガイド部２２、４９は、図３のシートＳの状態から形成されている。
【００６０】
また、その他のガイド部の形状として、図２３ａのガイド部３８、図２３ｂガイド部３９、図２３ｃガイド部４０、図２３ｄガイド部４１、４２のような形状であってもよい。その際も非溶着部４３、４４、４５、４６、４７が設けられており、媒体収納部３の空気が抜けるようになっている。
【００６１】
（媒体収納部）
媒体収納部３の特徴的な構成としては、媒体収納部３の長手方向と交差する幅方向において狭い領域３ｂを、媒体収納部３の長手方向の所定位置に設けている。これによって、媒体を前記媒体収納部へ収納した後にカートリッジ３５にかかる圧力を弱めることができる。狭い領域３ｂの幅Ｗ４は、図１７に示すように空気の導入方向におけて、狭い領域３ｂの上流及び下流の領域３ａ部分の幅Ｗ３よりも狭い。すなわち、狭い領域３ｂの断面積は、狭い領域３ｂ以外の領域３ａの断面積より小さいことになる。また、狭い領域３ｂは図１７に示すように溶着部１０よりも溶着部２３の幅を大きくして熱溶着することによって形成することができる。溶着部２３も専用の熱溶着装置（図不示）によって熱が加えられて形成される。また、溶着部２３も媒体収納部３の長手方向に沿って延びた形状をしている。本実施の形態においては、幅Ｗ３は２５〜３０ｍｍであり、狭い領域３ｂの幅Ｗ４は１５〜２０ｍｍである。
【００６２】
特に本実施例においては、被梱包物（カートリッジ３５）の略中央に相当する部分の空気の導入量が少なくなるような構成になっている。本実施例では図１７、図１８に示すように、前記略中央に相当する部分３ｂの幅をそれ以外の領域３ａより狭くすることで、空気の導入量が少なくしている。前記媒体収納部３の幅を狭くするためには、熱溶着（ヒートシール）する面積（溶着部２３）を部分的に大きくすることで、前記媒体収納部３の幅の狭い部分３ｂを形成することが可能である。空気の導入量が少なくすることで、被梱包物（カートリッジ３５）の略中央部分にかかる圧力を小さくすることが可能になる（図１９（ａ））。被梱包物がカートリッジ３５の場合、カートリッジ３５に設けられたハウジング３５ｄ、カバー部材３５ｂ、把手部３５ｃなどの略中央部分は、圧力が加わることによって端部と比較して変形を起こしやすい。よって、図１９（ｂ）に示すように、カートリッジ３５に設けられた感光体ドラム３５ａ、または、転写ロール３５ｅがハウジング３５ｄ、カバー部材３５ｂ等の変形によって、傷つけられる可能性がある。それを防ぐ手段として、感光体ドラムの軸線方向におけるカートリッジ３５の略中央部分には図１９（ａ）に示すように、媒体収納部３の幅を狭くした領域３ｂが位置するようにした。梱包部材Ｓ１の前記媒体収納部３による圧力が、カートリッジ３５の略中央部分にかからないようにするためである。よって、前記媒体収納部３の幅の狭い部分３ｂは、梱包部材を袋形状にする前に、被梱包物（カートリッジ３５）の略中央部分に形成しておく必要がある。
【００６３】
また、図２０、図２１に示すように、カートリッジ３５の感光体ドラムの軸線方向と、媒体収納部２４の長手方向とが交差する梱包部材Ｓ２のような場合には、感光体ドラムの軸線方向におけるプロセスカートリッ３５の略中央部分に相当する媒体収納部２５に空気が導入されないように、逆止弁２８を、熱溶着（溶着部２６）することも可能である。前記の構成によって、図２２ａに示すようにカートリッジ３５の略中央部分には、媒体収納部２５による圧力がかからない状態にすることができる。（図２２ｂには図１９（ｂ）と同様に、カートリッジ３５に設けられたハウジング３５ｄ、及び、カバー部材３５ｂが変形した状態を示した。）図２２ａでは、カートリッジ３５を梱包した際に、空気が導入されていない媒体収納部２５が、把手部３５ｃの位置になるように構成された状態を示した。
【００６４】
前述のように本実施の形態では、被梱包物（カートリッジ３５）の長手方向の略中央部に相当する部分の媒体収納部３の幅を狭くするか、または、空気が導入できない構成にした。しかし、図３５に示すように被梱包物（カートリッジ３５）の中央でない端部であっても、被梱包物（カートリッジ３５）から突出している突起４４から突起４７が相当する部分の媒体収納部３の幅を狭くするか、または、空気が導入できない部分を構成しても良い。前記突起によって媒体収納部３が傷つき、空気が漏れ出るのを防ぐことができる。
【００６５】
尚、本実施の形態では、被梱包物はカートリッジ３５を用いて説明したが、その他、インクジェットプリンターのインクカートリッジ、カメラ、プリンター本体、ビデオカメラ、また、電子写真画像形成装置に用いられる着脱可能な定着ユニットなどであっても良い。また、可撓性部材はプラスチックフィルムのほか、紙フィルム、金属フィルムなどであっても良い。
【００６６】
（梱包部材の製造方法）
また、被梱包物を梱包する梱包部材の製造方法をまとめると下記のようになる。
【００６７】
可撓性シートであるプラスチックフィルム１とプラスチックフィルム２を重ねる重ね工程と、前記重ね工程によって重なったプラスチックフィルム１とプラスチックフィルム２を重ねた状態で、互いに平行に複数箇所（溶着部９，１０）熱溶着する媒体収納部形成工程であって、媒体を収納するための媒体収納部３を形成する媒体収納部形成工程と、
媒体収納部形成工程によって熱溶着された梱包部材Ｓの長手方向一端（溶着部６）を封止するために、前記重ね工程によって重なったプラスチックフィルム１とプラスチックフィルム２を重ねた状態で熱溶着する前記媒体収納部封止工程と、
前記媒体収納部形成工程によって熱溶着された梱包部材Ｓ１の長手方向他端に、前記媒体収納部へ向かう媒体は通過させて、前記媒体収納部から逆流する媒体を規制する逆止弁４を取付ける逆止弁取付け工程と、
媒体収納部３へ媒体を導入する導入部５を形成するために、前記長手方向一端に連なって、前記重ね工程によって重なったプラスチックフィルム１とプラスチックフィルム２を重ねた状態で熱溶着する導入部形成工程であって、前記逆止弁４を介して前記媒体収納部３から前記導入部５へ逆流した媒体が、前記導入部５から前記梱包部材Ｓ１の外部へ漏れ出るのを防止するために、前記導入部５から前記逆止弁４へ向かう導入方向において前記逆止弁４の上流側に設けられた、前記導入部５を封止するための封止領域４８であって、媒体を前記媒体収納部へ収納した後に封止される封止領域４８を有して、導入部５を形成する導入部形成工程と、を有する梱包部材の製造方法である。
【００６８】
また、梱包部材Ｓは、前記長手方向を短手方向とし、前記短手方向と直交する方向を長手方向とする細長い形状であり、ロール形状に巻かれた状態である。
【００６９】
また、前記製造方法は、梱包部材Ｓ１は、前記ロール形状から巻かれた状態Ｓから、前記短手方向と平行に切断されて取り出される切断工程を有する製造方法である。
【００７０】
また、前記製造方法は、前記切断工程の後に、前記短手方向と直交する方向へ折り返す折り返し工程と、前記折り返し工程の後に、短辺、又は、長辺を一箇所残して熱溶着する（溶着部１２、１３）袋形成工程と、を有する製造方法である。
【００７１】
また、前記製造方法は、前記袋形成工程によって形成された袋に被梱包物を収納する被梱包物収納工程と、被梱包物収納工程の後に、導入部５から前記媒体収納部へ媒体を導入する媒体導入工程と、媒体導入工程の後に、前記封止領域４８を封止する封止工程と、を有する製造方法である。
【００７２】
なお、本実施例では、プラスチックフィルム１とプラスチックフィルム２を重ねた状態で熱溶着する製造方法を示したが、プラスチックフィルム１とプラスチックフィルム２をシールできるのであれば、熱溶着に限られるものではない。
【００７３】
本実施例においては、梱包部材が収納している媒体が、環境変化等によって梱包部材の外部に漏れ出ることがなく、被梱包物を確実に梱包することのできる。また、被梱包物を衝撃から守ることのできる梱包部材を製造することができる。また、梱包部材の運搬時には媒体を収納せずに運搬することができるので、梱包部材の運搬効率の良い。また、被梱包物に応じて梱包部材を製作することができる。
【００７４】
【発明の効果】
以上、説明したように本発明においては、梱包部材が収納している媒体が、環境変化等によって逆支弁を逆流したとしても、梱包部材の外部に媒体が漏れ出ることがない。そこで、被梱包物を確実に梱包することができる。また、被梱包物を外部の衝撃から守ることができる。また、媒体収納部の長手方向と、逆止弁における媒体の通過方向とを略一致させ、及び、注入口における媒体の導入方向と、逆止弁における媒体の通過方向とを略一致させることによって、媒体収納部へ媒体を導入する梱包部材に媒体を収納する収納効率を向上させることができた。さらに、梱包部材の運搬時は媒体を収納せずに運搬することができるので、梱包部材の運搬効率を向上させることができた。
【図面の簡単な説明】
【図１】本実施の形態の梱包部材を示す平面図
【図２】本実施の形態の梱包部材を示す断面図
【図３】本実施の形態の梱包部材を用いて、カートリッジを梱包する梱包方法を示す斜視図
【図４】本実施の形態の梱包部材を用いて、カートリッジを梱包する梱包方法を示す斜視図
【図５】本実施の形態の梱包部材を用いて、カートリッジを梱包する梱包方法を示す平面図
【図６】本実施の形態の梱包部材を用いて、カートリッジを梱包する梱包方法を示す平面図
【図７】本実施の形態の梱包部材を用いて、カートリッジを梱包する梱包方法（カートリッジを挿入）を示す斜視図
【図８】本実施の形態の梱包部材を用いて、カートリッジを梱包する梱包方法（カートリッジを挿入）を示す平面図
【図９】本実施の形態の梱包部材を用いて、カートリッジを梱包する梱包方法（密封後）を示す斜視図
【図１０】本実施の形態の梱包部材を用いて、カートリッジを梱包する梱包方法（密封後）を示す平面図
【図１１】媒体収納部の内部の圧力が高い状態を示す断面図
【図１２】媒体収納部から空気が漏れ出る状態を示す斜視図
【図１３】本実施の形態の梱包部材を示す斜視図
【図１４】ａは、本実施の形態の梱包部材を示す平面図（裏面側）、ｂは、本実施の形態の梱包部材を切り込み部から引き裂いた様子を示す平面図（裏面側）、ｃは、ガイド部がない梱包部材を引き裂いた様子を示すを示す平面図（裏面側）
【図１５】本実施の形態で切り込み部から梱包部材を開放する状態を示した斜視図
【図１６】本実施の形態で切り込み部から梱包部材を開放した状態を示した斜視図
【図１７】本実施の形態の梱包部材を示す平面図
【図１８】本実施の形態の梱包部材を示す斜視図
【図１９】（ａ）は、本実施の形態の梱包部材と収容物の状態を示す断面図、（ｂ）は、第２の導入部がない梱包部材とカートリッジの状態を示す断面図
【図２０】本実施の形態の梱包部材を示す平面図
【図２１】本実施の形態の梱包部材を示す斜視図
【図２２】（ａ）は、本実施の形態の梱包部材と収容物の状態を示すを示す断面図、（ｂ）は、空気が導入されない媒体収納部がない梱包部材と収容物の状態を示す断面図
【図２３】（ａ）は、その他の実施の形態でのガイド部の形状を示す平面図、（ｂ）は、その他の実施の形態でのガイド部の形状を示す平面図、（ｃ）は、その他の実施の形態でのガイド部の形状を示す平面図、（ｄ）は、その他の実施の形態でのガイド部の形状を示す平面図
【図２４】本実施の形態の梱包箱を示す斜視図
【図２５】本実施の形態の梱包箱を示す斜視図
【図２６】本実施の形態の梱包箱を示す斜視図
【図２７】従来の梱包箱を示す斜視図
【図２８】従来の梱包箱を示す斜視図
【図２９】本実施の形態の梱包部材を示す平面図
【図３０】本実施の形態の梱包部材を示す断面図
【図３１】従来の梱包箱の展開図
【図３２】本実施の形態の梱包箱の展開図
【図３３】従来の梱包箱の積載状態を示す斜視図
【図３４】本実施の形態による、梱包箱の積載状態を示す斜視図
【図３５】本実施の形態の梱包部材とカートリッジの状態を示す断面図
【図３６】第２の導入部がない梱包部材とカートリッジの状態を示す断面図
【図３７】本実施の形態の梱包部材とカートリッジの状態を示すを示す断面図
【図３８】空気が導入されない媒体収納部がない梱包部材とカートリッジの状態を示す断面図
【図３９】従来の梱包箱を示す斜視図
【図４０】従来の梱包箱を示す斜視図
【符号の説明】
１  プラスチックフィルム
２  プラスチックフィルム
３、２４、２５  媒体収納部
４、２７、２８  逆止弁
５、２９  媒体導入部
６、７、８、９、１０、１２、１３，１４、１９、２０、２３、２６、３０、３１、３２、３３、４９，５０  溶着部
１１  空気の注入口
１５  切り込み部
１６  把持部
１８、２１  開口
２２、３８、３９、４０、４１、４２  ガイド部
３４  非溶着部
３５  プロセスカートリッジ
３５ａ  感光体ドラム
３５ｂ  ドラムシャッタ
３５ｃ  把手
３５ｄ  カートリッジフレーム
３５ｅ  転写ローラ
３８、４３  梱包箱
Ｓ１  梱包部材
Ｓ  梱包部材（ロール形状）
Ｋ１  ハサミ
Ｋ２  芯金
Ｂ１，Ｂ２，Ｂ３  段ボールシート
Ｂ４  パレット
【図１】
0003639834.tif 000002
【図２】
0003639834.tif 000003
【図３】
0003639834.tif 000004
【図４】
0003639834.tif 000005
【図５】
0003639834.tif 000006
【図６】
0003639834.tif 000007
【図７】
0003639834.tif 000008
【図８】
0003639834.tif 000009
【図９】
0003639834.tif 000010
【図１０】
0003639834.tif 000011
【図１１】
0003639834.tif 000012
【図１２】
0003639834.tif 000013
【図１３】
0003639834.tif 000014
【図１４】
0003639834.tif 000015
【図１５】
0003639834.tif 000016
【図１６】
0003639834.tif 000017
【図１７】
0003639834.tif 000018
【図１８】
0003639834.tif 000019
【図１９】
0003639834.tif 000020
【図２０】
0003639834.tif 000021
【図２１】
0003639834.tif 000022
【図２２】
0003639834.tif 000023
【図２３】
0003639834.tif 000024
【図２４】
0003639834.tif 000025
【図２５】
0003639834.tif 000026
【図２６】
0003639834.tif 000027
【図２７】
0003639834.tif 000028
【図２８】
0003639834.tif 000029
【図２９】
0003639834.tif 000030
【図３０】
0003639834.tif 000031
【図３１】
0003639834.tif 000032
【図３２】
0003639834.tif 000033
【図３３】
0003639834.tif 000034
【図３４】
0003639834.tif 000035
【図３５】
0003639834.tif 000036
【図３６】
0003639834.tif 000037
【図３７】
0003639834.tif 000038
【図３８】
0003639834.tif 000039
【図３９】
0003639834.tif 000040
【図４０】
0003639834.tif 000041